(57)【特許請求の範囲】
【請求項１】
複数の系統に区分した複数の熱交換管を備える熱交換器を有し、この熱交換器の夫々の前記熱交換管には細管を介して分流器をつないだ空気調和機において、この分流器は前記複数の細管が並列に並べて接続される大径部とこの分流器への一つの入口管が接続される小径部とを有し、この大径部に並べられる細管の先端に関して、風の流れにくい位置に配置される前記熱交換管につながる前記細管の先端を、風の流れやすい位置に配置される前記熱交換管につながる前記細管の先端よりも細くしたことを特徴とする空気調和機。
【発明の詳細な説明】
【０００１】
【発明の属する技術分野】
本発明は、分流器を備える空気調和機の構造に関する。
【０００２】
【従来の技術】
一般に、図６に示すように、複数の系統に区分した複数の熱交換管１０１，１０２を備える熱交換器１００を有する空気調和機であって、この熱交換器１００の夫々の熱交換管１０１，１０２には、それぞれ細管１０３，１０４を介して分流器１０５をつないだ空気調和機は知られている。
【０００３】
この種のものでは、一般的に、熱交換器１００のコアを通る風速は不均一であり、複数の熱交換管１０１，１０２に当たる空気の量は均一でないので、その不均一量をあらかじめ設定して、いずれかの熱交換管１０１，１０２に流れる冷媒の量を多く、或いは少なくするよう調整する。このように熱交換管１０１，１０２毎に冷媒の量を不均一にするために、従来では、例えば風の流れにくい位置に配置される熱交換管１０２につながる細管１０４にループ状に形成されたキャピラリチューブ１０６を設けるなどの対策が施される。
【０００４】
【発明が解決しようとする課題】
しかしながら、従来の構成では、分流器１０５と熱交換器１００間にキャピラリチューブ１０６などを設けるため、細管１０４のパイプ長が長くなりコストアップは避けられず、しかもキャピラリチューブ１０６などを配管するためのスペースが必要になり小型化の妨げになるという問題がある。
【０００５】
本発明は上記課題を解消し、細管長の短縮を図ってコストダウンと小型化とを図ることのできる空気調和機を提供することを目的とする。
【０００６】
【課題を解決するための手段】
請求項１記載の発明は、複数の系統に区分した複数の熱交換管を備える熱交換器を有し、この熱交換器の夫々の前記熱交換管には細管を介して分流器をつないだ空気調和機において、この分流器は複数の細管が並列に並べて接続される大径部とこの分流器への一つの入口管が接続される小径部とを有し、この大径部に並べられる細管の先端に関して、風の流れにくい位置に配置される熱交換管につながる前記細管の先端を、風の流れやすい位置に配置される熱交換管につながる前記細管の先端よりも細くしたことを特徴とするものである。
【０００７】
請求項１に記載の発明では、風の流れにくい位置に配置される熱交換管側の細管に、冷媒流路抵抗を設けることにより、風の流れにくい位置に配置される熱交換管に流れる冷媒の熱交換能力と、風の流れ易い位置に配置される熱交換管に流れる冷媒の熱交換能力との均一化を図る。
【０００８】
しかも、風の流れにくい位置に配置される細管に流路抵抗を付加することで、従来用いていたキャピラリチューブなどが不要になり、細管長の短縮を図ってコストダウンが図れるとともに、分流器と熱交換器の間のキャピラリ配置スペースが不要になるので、小型化が図れる。
【００１０】
【発明の実施の形態】
以下、本発明の好適な実施の形態を図面に基づいて説明する。
【００１１】
図１において、１は圧縮機、２は四方弁、３は室外熱交換器であり、この室外熱交換器３は、冷房運転時に凝縮器として作用し、暖房運転時に蒸発器として作用する。４はこの室外熱交換器３の一端側に設けられた室外側のヘッダ、５は同じく他端側に設けられた室外側の分流器である。６は電動式膨張弁、７は室内熱交換器であり、この室内熱交換器７は、冷房運転時に蒸発器として作用し、暖房運転時に凝縮器として作用する。
【００１２】
８はこの室内熱交換器７の一端側に設けられた室内ヘッダ、９は同じく他端側に設けられた室内側の分流器である。
【００１３】
室内熱交換器７に設けられる熱交換器管１０は内径が７ｍｍであり、室外熱交換器３に設けられる熱交換管１１は内径が９．５２ｍｍ（一般に「３分」と呼ばれる。）である。このように室内熱交換器７の熱交換管１０の径は室外熱交換器３の熱交換管１１の径よりも小さく設定される。従って、室内熱交換器７の熱交換管１０の系統数（以下、「パス数」という。）は、室外熱交換器３の熱交換管１１のパス数よりも多く設定されている。
【００１４】
冷房運転時は四方弁２を図１において破線状態に設定し、暖房運転時は四方弁２を実線状態に設定することによって、圧縮機から吐出された冷媒は、図１の破線、或いは実線の矢印で示す方向に流れる。
【００１５】
図２は、上述した室内熱交換器７、室内側の分流器９、電動式膨張弁６等の配管接続状態を示す図である。
【００１６】
図２を参照して、１２は室外側の分流器５（図１）につながる第１冷媒管、１３はドライヤ、１４は電動式膨張弁６から延びて室内側の分流器９につながる入口管、１５はこの分流器９から延びて室内熱交換器７へつながる細管、１０はこの細管１５とつながる室内熱交換器７の熱交換管である。
【００１７】
室内側の分流器９は、図３に示すように、筒体２０と蓋２１で構成される。筒体２０の両端にはそれぞれ開口１８，１９が設けられ、一方の開口１８には大径部１６がつながり、この大径部１６には上記の蓋２１が取り付けられる。他方の開口１９には小径部１７がつながり、この小径部１７には入口管１４が取り付けられる。また、筒体２０には中径部２３が設けられ、この中径部２３には、ストレーナ２２が収容される。筒体２０の長さＡは例えば６８ｍｍ、小径部１７の内径Ｂは９．５ｍｍ、中径部２３の外径Ｃは２５．４ｍｍ、大径部１６の内径Ｄは２６．２ｍｍに設定されている。
【００１８】
この実施の形態によれば、図３を参照し、分流器９内に延びる細管１５のうちの、風の流れにくい位置に配置される熱交換管１０につながる細管１５には、この細管１５の断面積を小さくする縮管７７の加工が施される。この縮管７７の内径は細管１５の内径よりも当然小さく設定される。
【００１９】
一般的に、室内熱交換器７のコアを通過する風速は均一ではなく、天井埋込型の空気調和機などにあっては、筐体内に室内熱交換器が収容され、送風機からの空気は筐体の天面に近い側の風量が少なくなる現象を呈する。そうとなれば、上述した複数の熱交換管１０に当たる空気の量は均一ではなくなるので、その不均一の風量に応じて、いずれかの熱交換管１０に流れる冷媒の量を多く、或いは少なくするなどの必要性が生じる。
【００２０】
そのために、従来では、例えば、風の流れにくい位置に配置される熱交換管１０につながる細管１５に対して、ループ状に曲げたキャピラリチューブ（図示せず）を設けるなどの対策が講じられる。
【００２１】
この実施の形態によれば、風の流れにくい位置に配置される熱交換管１０につながる細管１５の端部に、この細管１５の断面積を小さくする縮管７７の加工が施されるので、複数の細管１５，１５に分流する冷媒の量はあらかじめ設定された縮管７７の径に応じて適切に調整され分流される。縮管７７の径は複数の細管１５毎に適切に設定してその加工を施すことができる。
【００２２】
この縮管７７の加工を施すことによって、風の流れ易い位置に配置される熱交換管１０に流れる冷媒の熱交換能力と、風の流れ難い位置に配置される熱交換管１０に流れる冷媒の熱交換能力とをほぼ均一にすることができる。
【００２３】
尚、細管１５の内径は、例えば４．７５ｍｍに設定され、細管１５の端部の縮管７７の内径は１．７ｍｍに設定される。
【００２４】
このように風の流れにくい位置に配置される細管１５に縮管７７の加工を付加することによって、従来用いていたループキャピラリチューブなどが不要になるので、細管１５の長さの短縮を図って、コストダウンが図られるとともに、分流器９と室内熱交換器７の間のキャピラリ配置スペースが不要になるので、本体の小型化が図られるなどの効果が得られる。
【００２５】
縮管７７の加工は、分流器９内に延びた部分に限られず、図４に示すように、細管１５の分流器９から室内熱交換器７までの間の任意の位置に施しても良い。細管１５の分流器９と室内熱交換器７との間の部分に縮管７７を設けることにより、上記に説明したのと同様の作用効果が得られる。
【００２６】
図５は別の実施の形態を示している。
【００２７】
この実施の形態によれば、分流器９内に延びる細管１５の内の風の流れにくい位置に配置される細管１５には、冷媒の流路抵抗としての付加部材１７７が付加されている。この付加部材１７７は、細管１５内に固定されており、冷媒通路孔（例えば、オリフィス）１７８を有している。
【００２８】
この冷媒通路孔１７８の内径は細管１５の内径よりも小さい。この付加部材１７７を設けることにより、上述と同様の理由により、風の流れ易い位置に配置される熱交換管１０に流れる冷媒の熱交換能力と、風の流れ難い位置に配置される熱交換管１０に流れる冷媒の熱交換能力とを均一にすることができる。
【００２９】
【発明の効果】
請求項１に記載の発明では、風の流れにくい位置に配置される熱交換管側の細管に流路抵抗を設けることにより、風の流れにくい位置に配置される熱交換管に流れる冷媒の熱交換能力と、風の流れ易い位置に配置される熱交換管に流れる冷媒の熱交換能力との均一化を図ることができる。
【００３０】
風の流れにくい位置に配置される細管に流路抵抗を付加するので、従来用いていたループキャピラリチューブなとが不要になる。このために、細管長の短縮を図ってコストダウンが図れるとともに、分流器と熱交換器の間のキャピラリ配置スペースが不要になるので、本体の小型化を図ることができる。
【図面の簡単な説明】
【図１】本発明の空気調和機の冷凍サイクルを示す冷媒回路図である。
【図２】図１の空気調和機の分流器と室内熱交換器の付近を示す図である。
【図３】分流器とこの分流器内に接続される細管を示す断面図である。
【図４】縮管を設けた細管を示す断面図である。
【図５】別の実施の形態を示す断面図である。
【図６】従来の空気調和機の分流器と室内熱交換器の付近を示す図である。
【符号の説明】
７  熱交換器（室内熱交換器）
１０  熱交換管
１５  細管
７７  縮管（流路抵抗）
5
【図１】
0003802136.tif 000002
【図２】
0003802136.tif 000003
【図３】
0003802136.tif 000004
【図４】
0003802136.tif 000005
【図５】
0003802136.tif 000006
【図６】
0003802136.tif 000007